(57)【要約】【課題】防犯性に優れ、タンブラを交換して他のキーで使用することができるＵ字ロック装置を提供する。【解決手段】Ｕ字状の係止体２と、この係止体２の端部３を挿入係止させて施錠を行う錠本体４とを備える。操作部材51によりストッパタンブラ18の係止を解除可能な操作孔31を備え、操作孔31の外端31Ｂを、係止体３が塞ぐ位置に設けたから、操作部材51によりストッパタンブラ18の係止を解除することにより、アウターシリンダ12からインナーシリンダ11を抜き取り、インナーシリンダ11のタンブラ15を新しいキー５に適合したものに交換して新しいキー５により施錠を行うことができる。この場合、キー５の持ち主やこの持ち主からキー５を預かった者が施錠を解除して係止体２をはずした場合のみインナーシリンダ11を抜くことができるため、防犯上の問題が発生することがない。【選択図】図３
2012188878.tif 000002
【特許請求の範囲】
【請求項１】
Ｕ字状の係止体と、この係止体の係止部を挿入係止させて施錠を行う錠本体とを備えたＵ字ロック装置において、
前記錠本体は、
前記係止部に係脱するロック部材と、
タンブラと抜け止め部材が組み込まれると共にキーを挿入するキー孔を有するインナーシリンダと、このインナーシリンダを挿入するアウターシリンダとを有し、前記抜け止め部材をアウターシリンダに係止してアウターシリンダ内に前記インナーシリンダを抜け止め状態で装着し、前記タンブラは前記アウターシリンダに係脱可能に設けられ、前記タンブラに適合した前記キーにより前記インナーシリンダの回転を許容し、前記インナーシリンダの回転により前記ロック部材を前記係止部に係脱するキーシリンダと、
内端が前記抜け止め部材の近傍に設けられると共に外端が外部に連通し、かつ前記外端から挿入した操作部材により前記抜け止め部材の係止を解除可能な操作孔と、
を備え、
前記操作孔の外端を、前記挿入係止状態の前記係止体が塞ぐ位置に設けたことを特徴とするＵ字ロック装置。
【請求項２】
前記錠本体は前記係止部を挿入する挿入孔を有し、この挿入孔に前記操作孔の外端を設けたことを特徴とする請求項１記載のＵ字ロック装置。
【発明の詳細な説明】
【技術分野】
【０００１】
本発明は、Ｕ字ロック装置に関し、特にタンブラを交換して他のキーで使用することができるＵ字ロック装置に関する。
【背景技術】
【０００２】
従来、この種のＵ字ロック装置として、Ｕ字状の係止ロッドと、この係止ロッドを挿入・係止させて施錠を行う錠本体とを備えた施錠装置（例えば特許文献１）があり、この施錠装置は、例えば鞍乗り型車両や自転車などの盗難を防止するために用いられる。
【０００３】
また、ロック本体，Ｕ字状のアーム及び１個以上のナンバーリングを備え、利用者は暗号を変えることができるが、外部の人がロックを解除できないようにした番号変更可能なＵ字ロック（例えば特許文献２）が提案されている。
【０００４】
また、キー操作によりハンドルロックとは別に収納ボックスやシート等の付属物のロック及び／又はロック解除を行う、キーを備えた車両用ロック装置（例えば特許文献３）が提案されており、さらに、上記キーによりＵ字ロック装置のロック及び／又はロック解除を可能として利便性を向上したものも知られている。
【０００５】
上記特許文献３のロック装置は、キーを挿入するキー挿入穴を開けたインナーシリンダと、このインナーシリンダの軸直角方向に移動可能に設けた複数のタンブラと、タンブラを組み込んだインナーシリンダを抜け止め状態で挿入したアウターシリンダとを備え、複数のタンブラに適合したキーを挿入した場合にインナーシリンダが回転可能となり、インナーシリンダを回転することによりロック及び／ロック解除操作を行うことができる。
【先行技術文献】
【特許文献】
【０００６】
【特許文献１】特許第３５５４３７０号公報
【特許文献２】実用新案登録第３０８５０４８号公報
【特許文献３】特開２００５−１５５１４８号公報
【発明の概要】
【発明が解決しようとする課題】
【０００７】
上記のように車両のハンドルロック，収納ボックス等の付属物やＵ字ロック装置を共通したキーにより操作するために、各インナーシリンダには、そのキーに適合した複数のタンブラが組み込まれている。このため、例えば、車両を買い換えた際などには、今まで使用していたＵ字ロック装置を使用することができなる。
【０００８】
この問題を解決するため、新しいキーでＵ字ロック装置を使用可能にするには、インナーシリンダをアウターシリンダから取り外し、新しいキーに適合したタンブラに交換する作業が必要になるが、インナーシリンダをキーの持ち主以外が簡単に外すことができる構造にすると防犯上の問題が発生する。
【０００９】
そこで、本発明は上記した問題点に鑑み、防犯性に優れ、タンブラを交換して他のキーで使用することができるＵ字ロック装置を提供することを目的とする。
【課題を解決するための手段】
【００１０】
上記目的を達成するために、請求項１に関わる発明は、Ｕ字状の係止体と、この係止体の係止部を挿入係止させて施錠を行う錠本体とを備えたＵ字ロック装置において、前記錠本体は、前記係止部に係脱するロック部材と、タンブラと抜け止め部材が組み込まれると共にキーを挿入するキー孔を有するインナーシリンダと、このインナーシリンダを挿入するアウターシリンダとを有し、前記抜け止め部材をアウターシリンダに係止してアウターシリンダ内に前記インナーシリンダを抜け止め状態で装着し、前記タンブラは前記アウターシリンダに係脱可能に設けられ、前記タンブラに適合した前記キーにより前記インナーシリンダの回転を許容し、前記インナーシリンダの回転により前記ロック部材を前記係止部に係脱するキーシリンダと、内端が前記抜け止め部材の近傍に設けられると共に外端が外部に連通し、かつ前記外端から挿入した操作部材により前記抜け止め部材の係止を解除可能な操作孔と、を備え、前記操作孔の外端を、前記挿入係止状態の前記係止体が塞ぐ位置に設けたことを特徴とする。
【００１１】
また、請求項２に係る発明は、前記錠本体は前記係止部を挿入する挿入孔を有し、この挿入孔に前記操作孔の外端を設けたことを特徴とする。
【発明の効果】
【００１２】
本発明の請求項１に記載のＵ字ロック装置によれば、操作孔の外端から操作部材を挿入し、この操作部材により前記抜け止め部材の係止を解除することにより、アウターシリンダからインナーシリンダを抜き取ることができ、抜き取ったインナーシリンダのタンブラを新しいキーに適合したものに交換して新しいキーにより施錠を行うことができる。この場合、キーの持ち主やこの持ち主からキーを預かった者が施錠を解除して係止体をはずした場合のみインナーシリンダを抜くことができるため、防犯上の問題が発生することがない。
【００１３】
また、本発明の請求項２に記載のＵ字ロック装置によれば、挿入孔に係止部を挿入することにより、操作孔の外端が隠れると共に、操作孔に操作部材などを挿入することができなくなる。
【図面の簡単な説明】
【００１４】
【図１】本発明の実施例１を示す施錠状態の要部の断面図である。
【図２】同上、要部の拡大断面図である。
【図３】同上、操作部材の使用状態を示す要部の断面図である。
【図４】同上、全体正面図である。
【図５】同上、係止体の斜視図である。
【図６】同上、錠本体の斜視図である。
【図７】同上、錠本体の要部の分解斜視図である。
【図８】同上、錠本体の要部の分解斜視図である。
【図９】同上、インナーシリンダの平面図である。
【図１０】同上、インナーシリンダの側面図である。
【発明を実施するための形態】
【００１５】
以下、図面を参照して、本発明のＵ字ロック装置の実施例１について説明する。
【実施例１】
【００１６】
図１〜図１０に示すように、Ｕ字ロック装置１は、Ｕ字状の係止体２と、この係止体２の係止部たる端部３，３を挿入係止して施錠を行う錠本体４とを備え、この錠本体４をキー５により操作する。尚、前記キー５は、例えば鞍乗り型車両のイグニッションキーであり、該鞍乗り型車両に装備した装備品たる収納ボックスや開閉式シートなどの他の装備品の施錠操作を前記キー５により行うことができる。
【００１７】
前記錠本体４は、前記端部３，３を挿入する挿入孔たる挿入筒部６，６を有し、錠本体４の内部には内筒部材４Ａが内装されている。また、前記錠本体４の外筒部材の一端開口部７には、キーシリンダ８が装着されている。
【００１８】
前記キーシリンダ８は、インナーシリンダ11と、このインナーシリンダ11を挿脱可能に挿入するアウターシリンダ12とを備え、前記インナーシリンダ11には、前記キー５を挿入するキー孔13が設けられている。
【００１９】
前記インナーシリンダ11には所定ピッチでスリット状のタンブラ溝14が形成され、このタンブラ溝14内にタンブラ15が挿入されている。また、図９などに示すように、前記タンブラ溝14に沿って、付勢手段たるコイルスプリング16を挿入する略円形の挿入溝17を設けている。前記タンブラ15は、中央部にキー挿通部15Ａを開設した板状体であって、各タンブラ15の側部には、前記挿入溝17内の前記コイルスプリング16を押さえる押さえ部15Ｂが突設されており、この押さえ部15Ｂがコイルスプリング16により付勢され、このコイルスプリング16の付勢によりタンブラ溝14からタンブラ15の縁部15Ｃが突出し、キー孔13にキー３を挿入しない状態において、前記縁部15Ｃが前記アウターシリンダ12内周の係止溝12Ａ内に突出し、これによりインナーシリンダ11のアウターシリンダ12に対する相対回転を禁止し、施錠状態となる（図２）。これに対して、キー孔13にキー５を挿入すると、キー挿通部15Ａに挿入したキー５により、タンブラ15がタンブラ溝14内を上下方向、すなわち、キー５の挿入方向に対して直交する方向に摺動する。キー３が完全に挿入された状態においてタンブラ15の縁部15Ｃがインナーシリンダ11の外周と同一面に位置していれば、インナーシリンダ11はアウターシリンダ12に対して相対回転が許容され、解錠状態となる。
【００２０】
また、先端側の前記タンブラ溝14には、抜け止め部材たるストッパタンブラ18が上下動可能に挿入され、このストッパタンブラ18は、中央部にキー挿通部18Ａを開設した板状体であって、そのストッパタンブラ18の側部には、前記挿入溝17内の前記コイルスプリング16を押さえる押さえ部18Ｂが突設されており、押さえ部18Ｂがコイルスプリング16により付勢され、このコイルスプリング16の付勢力によりタンブラ溝14からストッパタンブラ18の係止縁部18Ｃが突出し、この係止縁部18Ｃがアウターシリンダ12内周の抜け止め係止部12Ｂに係止し、これによりインナーシリンダ11がアウターシリンダ12に抜け止めで装着される。
【００２１】
尚、キー孔13に挿入したキー５は、前記ストッパタンブラ18のキー挿通部18Ａに係合することはなく、キー５によりストッパタンブラ18が上下してインナーシリンダ11の抜け止め状態が解除されることはない。
【００２２】
前記錠本体４の一端開口部７内には、受内筒19が固着されており、この受内筒19内に前記アウターシリンダ12が挿入状態で固着され、このアウターシリンダ12の外鍔部12Ｃが前記受内筒19に当接すると共に、前記一側開口部７を塞ぐ。また、前記アウターシリンダ12の先端で一端開口部７内に、接続筒体21が回転可能に設けられており、この接続筒体21の先端部22は基端側より径小に形成され、その先端部22には、Ｌ字形のロック部材25の基端が固着されており、このロック部材25の基端は、スプリングワッシャ23とＥリング24に挟まれて固着され、前記先端部22には前記Ｅリング24を装着する装着溝22Ａが形成されている。そして、前記ロック部材25の先端25Ａが、前記端部３に設けた係止溝３Ａに挿脱され、挿入状態では、係止溝３Ａに先端25Ａが係止して係止体２が錠本体４から外れないロック状態となり、一方、接続筒体21が回転して先端25Ａが係止溝３Ａから外れた状態では、ロック解除状態となる。
【００２３】
また、前記接続筒体21の基端の中央には、略方形の係合溝26が形成され、この係合溝26に係入する係合突起27が、前記インナーシリンダ11の先端に突出されている。また、前記係合突起27の一側には段部27Ａが形成され、この段部27Ａに対応して前記係合溝26の一側に段受部26Ａが形成され、それら段部27Ａと段受部26Ａとが係合することにより、前記係合溝26と係合突起27が上下一方向で係合する。
【００２４】
前記アウターシリンダ11の基端側には位置決め段部28が設けられ、この位置決め段部28に当接する位置決め当接部29が前記インナーシリンダ11の基端側に設けられ、位置決め段部28が位置決め段部28に当接することにより、インナーシリンダ12がアウターシリンダ11に位置決めされ、この位置で、前記ストッパタンブラ18が前記抜け止め係止部12Ｂに係止する。
【００２５】
図１〜図３に示すように、前記錠本体４には、係止状態のストッパタンブラ15を操作するために操作孔31が穿設されている。尚、図１及び図３では、タンブラを図示省略し、図２でタンブラ15を破線で図示している。前記操作孔31の内端31Ａを、前記アウターシリンダ12の内面で、前記抜け止め係止部12Ｂの近傍に設け、また、その操作孔31の外端31Ｂを前記挿入部６の先端側の内周に設け、前記内端31Ａと外端31Ｂとの間を一直線状に形成している。また、図１及び図３に示すように、外端31Ｂは、挿入筒部７に挿入した端部３により隠れて閉じ、外端31Ｂは端部３と隙間を置いて該端部３により塞がれる。一方、図２に示すように、挿入筒部７から端部３を抜くことにより外端31Ｂが開口する。さらに、前記内端31Ａに連続して前記アウターシリンダ12の内面には、係止状態の前記ストッパタンブラ18の係止縁部18Ｃに至る湾曲面32が形成されている。
【００２６】
したがって、キー５の持ち主やこの持ち主からキー５を預かった者が、キー５により施錠を解除し、錠本体４から係止体２を外すと、操作孔31の外端31Ｂが開口し、この外端31Ｂから針金や鋼線などの細線状の操作部材51を挿入し、図３に示すように、操作部材51の先端によりストッパタンブラ18の係止縁部18Ｃを押し下げ、係止縁部18Ｃと抜け止め係止部12Ｂとの係止を解除すると、アウターシリンダ12内からインナーシリンダ11を抜き取ることができる。前記操作部材51は前記湾曲面32に沿って折曲げ可能な材質のものが用いられる。
【００２７】
そして、新しいキー５に適合するタンブラ15に交換することにより、交換前の古いキー５を使用していたＵ字ロック装置１を新しいキー５により施錠することができる。この場合、交換作業の一例を説明すると、コイルスプリング16をセットした状態で、新しいタンブラ15又は今まで使用していたタンブラ15を適宜位置のタンブラ溝14に挿入し、キー孔13にキー５を挿入する。そして、キー５とキー挿通部18Ａとの係合により、複数のタンブラ15の縁部15Ｃがインナーシリンダ11の内周と同一面に位置に来るように、タンブラ15の選定と、使用するタンブラ溝14とを選定する。図１０に示すように、キー５の挿入状態で全てのタンブラ15の縁部15Ｃがインナーシリンダ11の内周と同一面に位置となったら、コイルスプリング16とストッパタンブラ18をインナーシリンダ11にセットし、キー５を挿入したままインナーシリンダ11をアウターシリンダ12内に挿入する。このインナーシリンダ11の挿入により、先端の係合突起27が接続筒体21の係合溝26内に挿入されてインナーシリンダ11と接続筒体21が接続されると共に、位置決め段部28に位置決め当接部29に当接し、この状態で、抜け止め係止部12Ｂにストッパタンブラ18が係止する。尚、挿入時に前記ストッパタンブラ18の係止縁部18Ｃを案内する案内溝（図示せず）をアウターシリンダ12の内周に設けることができる。
【００２８】
このようにして新しいキー５に対応するタンブラ15に交換したインナーシリンダ11をキーシリンダ８に装着し、インナーシリンダ11の基端をキー孔蓋41により塞ぎ、このキー孔蓋41はキー孔13に連通するキー孔部42が開設している。また、キー孔蓋41の内面側には、キー溝部材43が配置され、このキー溝部材43には、キー５の側面に設けた長さ方向の溝部５Ａが係合する凸部44が設けられている。
【００２９】
上記のＵ字ロック装置１では、共通するキー５で複数の施錠を行っていた車両を交換した場合でも、新しいキー５に対応するタンブラ15に交換してＵ字ロック装置１を使用することができる。また、タンブラ15の交換は、キー５により解錠して錠本体４から係止体２を外し、操作孔31を露出しなければできないから、持ち主又は持ち主から依頼された者しか、インナーシリンダ11を外すことができず、防犯上の問題が発生することもない。
【００３０】
このように本実施例では、請求項１に対応して、Ｕ字状の係止体２と、この係止体２の係止部たる端部３を挿入係止させて施錠を行う錠本体４とを備えたＵ字ロック装置１において、錠本体４は、端部３に係脱するロック部材25と、タンブラ15と抜け止め部材たるストッパタンブラ18が組み込まれると共にキー５を挿入するキー孔13を有するインナーシリンダ11と、このインナーシリンダ11を挿入するアウターシリンダ12とを有し、ストッパタンブラ18をアウターシリンダ12に係止してアウターシリンダ12内にインナーシリンダ11を抜け止め状態で装着し、タンブラ15はアウターシリンダ11に係脱可能に設けられ、タンブラ15に適合したキー５によりインナーシリンダ11の回転を許容し、インナーシリンダ11の回転によりロック部材25を端部３に係脱するキーシリンダ８と、内端31Ａがストッパタンブラ18の近傍に設けられると共に外端31Ｂが外部に連通し、かつ前記外端31Ｂから挿入した操作部材51によりストッパタンブラ18の係止を解除可能な操作孔31と、を備え、操作孔31の外端31Ｂを、前記挿入係止状態の係止体２が塞ぐ位置に設けたから、操作孔31の外端31Ｂから操作部材51を挿入し、この操作部材51によりストッパタンブラ18の係止を解除することにより、アウターシリンダ12からインナーシリンダ11を抜き取ることができ、抜き取ったインナーシリンダ11のタンブラ15を新しいキー５に適合したものに交換して新しいキー５により施錠を行うことができる。この場合、キー５の持ち主やこの持ち主からキー５を預かった者が施錠を解除して係止体４をはずした場合のみしかインナーシリンダ11を抜くことができないため、防犯上の問題が発生することがない。
【００３１】
また、このように本実施例では、請求項２に対応して、錠本体４は係止部たる端部３を挿入する挿入孔たる挿入筒部６を有し、この挿入筒部６に操作孔31の外端31Ｂを設けたから、挿入筒部６に端部３を挿入することにより、操作孔31の外端31Ｂが隠れると共に、操作孔31に操作部材51などを挿入することができなくなる。
【００３２】
また、実施例上の効果として、内端31Ａと外端31Ｂとの間で操作孔31はまっすぐに形成されているから、操作部材51の挿入動作を容易に行うことができる。さらに、アウターシリンダ12の内面には、係止状態の前記ストッパタンブラ18の係止縁部18Ｃに至る湾曲面32が形成されているから、挿入した操作部材51の先端を湾曲面32によりシリンダ11の中心側に屈強するように案内してストッパタンブラ18を押し下げ、その係止状態を確実に解除することができる。また、外端31Ｂを挿入筒部６の内周先端側で円周方向一側に設けたから、係止体２を外した状態で、操作孔31の延長線上には、挿入筒部６の円周方向他側はなく、操作部材51を外端51Ｂから操作孔31にスムーズに挿入することができる。
【００３３】
尚、本発明は、本実施例に限定されるものではなく、本発明の要旨の範囲内で種々の変形実施が可能である。例えば、インナーシリンダに設けるタンブラの数は適宜選定可能である。
【符号の説明】
【００３４】
１  １  Ｕ字ロック装置
２  係止体
３  端部（係止部）
４  錠本体
５  キー
６  挿入筒部（挿入孔）
８  キーシリンダ
11  インナーシリンダ
12  アウターシリンダ
13  キー孔
15  タンブラ
18  ストッパタンブラ
25  ロック部材
31  操作孔
31Ａ  内端
31Ｂ  外端
51  操作部材
【図１】
2012188878.tif 000003
【図２】
2012188878.tif 000004
【図３】
2012188878.tif 000005
【図４】
2012188878.tif 000006
【図５】
2012188878.tif 000007
【図６】
2012188878.tif 000008
【図７】
2012188878.tif 000009
【図８】
2012188878.tif 000010
【図９】
2012188878.tif 000011
【図１０】
2012188878.tif 000012